【手続補正書】
【提出日】平成15年2月21日(2003.2.21)
【手続補正１】
【補正対象書類名】明細書
【補正対象項目名】特許請求の範囲
【補正方法】変更
【補正の内容】
【特許請求の範囲】
【請求項１】
少なくとも１つのエネルギー・サービス・プロバイダからのエネルギー分配を監視して制御するシステムであって、
集中型ではない公衆アクセス可能な分散ネットワークと、
電力監視及び電力削減回路を前記分散ネットワークにインターフェースするネットワーク・アクセス装置と、
前記ネットワーク・アクセス装置から離れて位置し、前記電力監視及び前記電力削減回路へのインターフェイスを支援し、前記ネットワーク・アクセス装置が所定の時間間隔で通信を開始する時、前記公衆アクセス可能な分散ネットワークを介して前記ネットワーク・アクセス装置とインターフェイスする制御装置を含み、電気の市場価格に部分的に基づいて遠隔の場所の電気的負荷を制御する管理装置と、
を含むシステム。
【請求項２】
請求項１に記載のシステムにおいて、前記ネットワーク・アクセス装置が前記遠隔の場所に位置し、そして前記制御装置がプログラムされた時間間隔で自動的に前記ネットワーク・アクセス装置にインターフェイスするシステム。
【請求項３】
請求項１に記載のシステムにおいて、前記管理装置が少なくとも１つの電気サービス・プロバイダからの利用可能な電力供給に基づいて、前記遠隔の場所への電力分配を制御するシステム。
【請求項４】
請求項１に記載のシステムにおいて、前記ネットワーク・アクセス装置が、前記ネットワーク・アクセス装置と前記遠隔の場所における外部装置との間の通信を規制する衝突検出及びキャリア検出複数アクセス・インターフェイスをさらに含むシステム。
【請求項５】
請求項１に記載のシステムにおいて、予想される負荷減少をユーザに自動的に通知する前記管理装置とインターフェイスする通信装置をさらに含むシステム。
【請求項６】
請求項１に記載のシステムにおいて、前記ネットワーク・アクセス装置から離れて位置して前記集中型でない公衆アクセス可能な分散ネットワークと相互に接続された入力及び出力装置からの通信を支援するインターフェイスをさらに含むシステム。
【請求項７】
請求項６に記載のシステムにおいて、前記入力及び前記出力装置が前記管理装置から離間して位置するシステム。
【請求項８】
請求項６に記載のシステムにおいて、前記インターフェイスが命令ライン・インターフェイス、メニュードリブン・インターフェイス、及び、グラフィカルユーザ・インターフェイスの少なとくとも１つを含むシステム。
【請求項９】
請求項６に記載のシステムにおいて、前記入力装置がキーボードを含み、そして前記出力装置がターミナルを含むシステム。
【請求項１０】
請求項１に記載のシステムにおいて、前記ネットワーク・アクセス装置が前記電力監視回路にインターフェイスするパルス蓄積器をさらに含むシステム。
【請求項１１】
請求項１０に記載のシステムにおいて、前記ネットワーク・アクセス装置が前記電力監視回路により監視された電気エネルギーを測定するために前記パルス蓄積器とインターフェイスする乗算器をさらに含むシステム。
【請求項１２】
請求項１に記載のシステムにおいて、前記ネットワーク・アクセス装置がメモリ内にデータを記憶するプログラム可能装置であるシステム。
【請求項１３】
請求項１に記載のシステムにおいて、前記ネットワーク・アクセス装置が、オペレーティング・システム・ソフトウェア及びシステム・ソフトウェアの少なくとも一つを保持するプログラマブル・フラッシュ・メモリを含み、そして前記フラッシュ・メモリは前記管理装置の命令により前記オペレーティング・システム・ソフトウェア及び前記システム・ソフトウェアを受信するように構成されているシステム。
【請求項１４】
請求項１に記載のシステムにおいて、前記ネットワーク・アクセス装置は前記管理装置から遠隔に位置する複数のＥ１−２０００を含むシステム。
【請求項１５】
請求項１４に記載のシステムにおいて、前記インターネット顧客削減モジュールの各々が単一のサービス・プロバイダ・アカウントを介して前記公衆アクセス可能な分散ネットワークに前記インターネット顧客削減モジュールを相互接続するための共通の識別コードを共有するシステム。
【請求項１６】
請求項１に記載のシステムにおいて、前記集中型でない公衆アクセス可能な分散ネットワークがインターネットを含むシステム。
【請求項１７】
請求項１に記載のシステムにおいて、前記ネットワーク・アセス装置に電気的に相互接続された視覚及び聴覚警報機の少なくとも１つを含むシステム。
【請求項１８】
請求項１に記載のシステムにおいて、前記管理装置が管理クロックをさらに含み、そして前記ネットワーク・アクセス装置が前記管理装置とインターフェイスされる時に前記管理クロックに同期されるネットワーク・クロックをさらに含むシステム。
【請求項１９】
請求項１に記載のシステムにおいて、少なくとも１つのスイッチが前記ネットワーク・アクセス装置と前記管理装置の間の接続を開始するように構成され、そして少なくとも１つのスイッチが前記ネットワーク・アクセス装置をリセットするように構成された複数の手動スイッチをさらに含んだシステム。
【請求項２０】
請求項１に記載のシステムにおいて、第１状態を活性化する時、前記ネットワーク・アクセス装置と前記管理装置の間の接続を開始するように構成され、そして第２状態を活性化する時、前記ネットワーク・アクセス装置をリセットするように構成された少なくとも１つの手動スイッチをさらに含んだシステム。
【請求項２１】
エネルギーを監視して再分配するためのシステムであって、
公衆アクセス可能なネットワークと、
前記公衆アクセス可能なネットワークにインターフェイスされたエネルギー取引所と、
電力監視回路、電力削減回路及び前記公衆アクセス可能なネットワークにインターフェイスされたＥ１−２０００と、
前記公衆アクセス可能なネットワークを介して前記Ｅ１−２０００と前記エネルギー取引所にインターフェイスされ、前記Ｅ１−２０００を介して電力消費を監視し、前記エネルギー取引所を介して価格データを監視し、そして前記Ｅ１−２０００を介して削減事象を開始することによりエネルギー再分配を容易にするオンライン・サイトと、
を含むシステム。
【請求項２２】
請求項２１に記載のシステムにおいて、前記Ｅ１−２０００がソフトウェアを含み、前記オンライン・サイトと前記Ｅ１−２０００のインターフェイスが前記ソフトウェアにより制御される周期的なインターフェイスであるシステム。
【請求項２３】
請求項２１に記載のシステムにおいて、前記Ｅ１−２０００がモデムとイーサネット装置を含み、前記オンライン・サイトと前記Ｅ１−２０００のインターフェイスが前記モデム及び前記イーサネット装置の１つを介して行なわれるシステム。
【請求項２４】
請求項２１に記載のシステムにおいて、前記Ｅ１−２０００が無線装置を含み、前記オンライン・サイトと前記Ｅ１−２０００のインターフェイスが前記無線装置を介して行なわれるシステム。
【請求項２５】
請求項２１に記載のシステムにおいて、前記オンライン・サイトが通信サーバー、データーベース・サーバー、及びウェブ・アプリケーション・サーバーを含むシステム。
【請求項２６】
請求項２１に記載のシステムにおいて、前記通信、データーベース、及びウェブ・アプリケーションのサーバーの各々が前記通信、データーベース、及びウェブ・アプリケーションのサーバーの各々をバックアップする副サーバーをさらに含むシステム。
【請求項２７】
請求項２１に記載のシステムにおいて、前記公衆アクセス可能なネットワークがインターネットであるシステム。
【請求項２８】
請求項２１に記載のシステムにおいて、前記Ｅ１−２０００が前記オンライン・サイトを介してプログラムできるプログラム可能装置であるシステム。
【請求項２９】
請求項２１に記載のシステムにおいて、前記Ｅ１−２０００がリング命令に応答するシステム。
【請求項３０】
請求項２１に記載のシステムにおいて、消費者インターフェイス、エネルギー供給者インターフェイス、及び、アドミニストレーテイブ・インターフェイスをさらに含み、前記インターフェイスの各々が互いに離間して位置するシステム。
【請求項３１】
請求項２１に記載のシステムにおいて、前記Ｅ１−２０００と前記オンライン・サイトのインターフェイスが連続的なインターフェイスであり、前記オンライン。サイトが実時間で電力消費及び価格データを監視できるシステム。
【請求項３２】
エネルギー分配を監視して制御するための方法であって、
ネットワーク・アクセス装置を介して複数の分散された場所からの電気的負荷データ及び複数のネットワークとゲートウェイを含む公衆アクセス可能な分散ネットワークを介してソースからの電気市場供給データを監視し、
前記ネットワーク・アクセス装置が所定の時間間隔で通信を前記公衆アクセス可能な分散ネットワークを介して開始する時、オンライン・サイトにおいて前記電気的負荷データを受信し、前記オンライン・サイトが前記電気的負荷データおよび前記市場供給データを処理し、そして前記電気的負荷データおよび前記市場供給データに基づいて少なくとも１つの前記分散された場所において少なくとも１つの電力削減要求を開始することを含む方法。
【請求項３３】
請求項３２に記載の方法において、電子メール・メッセージ、ページャー・メッセージ、及びファクシミリ・メッセージを含むグループから選ばれた少なくとも１つのメッセージを送信することをさらに含む方法。
【請求項３４】
請求項３２に記載の方法において、前記少なくとも１つの電力削減要求を開始する前に視覚及び聴覚警報の少なくとも１つを開始することをさらに含む方法。
【請求項３５】
請求項３２に記載の方法において、前記電力削減要求が少なくとも１つの無線メッセージを含む方法。
【請求項３６】
請求項３２に記載の方法において、ユーザにユーザ定義可能なレポートを与えることをさらに含む方法。
【請求項３７】
請求項３２に記載の方法において、前記ネットワーク・アクセス装置が通信を開始する時にだけ、前記ネットワーク・アクセス装置を前記公衆アクセス可能な分散ネットワークへインターフェイスすることをさらに含む方法。
【請求項３８】
請求項３７に記載の方法において、前記ネットワーク・アクセス装置が前記通信を管理装置と開始する方法。
【請求項３９】
請求項３２に記載の方法において、前記市場供給データが電力の市場価格を含む方法。
【請求項４０】
請求項３２に記載の方法において、前記少なくとも１つの電力削減要求が電力削減事象を含む方法。